(57)【特許請求の範囲】
【請求項１】
選曲予約されたカラオケ楽曲を選曲予約順に演奏するカラオケシステムにおいて、ログイン利用者管理手段と、予約管理手段と、予約待ち行列再編手段と、を備え、
前記ログイン利用者管理手段は、現に当該カラオケシステムにログインしている利用者を、利用者ＩＤに基づき特定して管理し、
前記予約管理手段は、任意の利用者が選曲予約を行う際に、選曲された楽曲の楽曲ＩＤに当該利用者の利用者ＩＤを付帯させて予約待ち行列に登録し、
前記予約待ち行列再編手段は、任意の予約楽曲が演奏された際に演奏中止信号を受信すると、前記予約待ち行列を参照し、当該演奏が中止された楽曲ＩＤに付帯された利用者ＩＤに対応する他の予約楽曲の中から、所定の予約楽曲が選曲予約順の最上位となるように予約待ち行列を再編する、
ことを特徴とする演奏楽曲繰上機能を有するカラオケシステム。
【請求項２】
前記予約待ち行列再編手段は、前記予約楽曲の演奏が開始されてから所定時間内に演奏中止信号を受信した場合にのみ、予約待ち行列の再編を行う、
ことを特徴とする請求項１に記載の演奏楽曲繰上機能を有するカラオケシステム。
【発明の詳細な説明】
【技術分野】
【０００１】
本発明は、選曲予約されたカラオケ楽曲が演奏された際に演奏中止が指示されると、当該楽曲に代替する楽曲を繰り上げて演奏可能なカラオケシステムに関するものである。
【背景技術】
【０００２】
近年普及しているカラオケシステムは、選曲予約を行う際に、選曲されたカラオケ楽曲の楽曲ＩＤに選曲者の利用者ＩＤを付帯して予約待ち行列に登録する機能を有している。そして、カラオケ楽曲の演奏に際して、予約待ち行列に登録された順番で楽曲の演奏が行われる。
【０００３】
ところで、利用者が選曲予約を行う際に、気まぐれで選曲してしまったり、新曲にチャレンジするために歌詞やメロディを熟知していない楽曲を選曲してしまったりすることがある。そして、このような楽曲の演奏が開始された後に、当該楽曲を上手に歌唱できないことに気付いて演奏中止ボタンを操作し、当該楽曲の演奏を中止させる場合がある。
【０００４】
上述したように、楽曲の演奏は予約待ち行列の登録順に行われるので、演奏を中止した楽曲の選曲者は、自らの利用者ＩＤが付帯されて選曲予約された次の楽曲まで歌唱を行うことができない。特に、利用者が多数いる場合には、演奏を中止させた利用者が次に歌唱できる機会は、ずっと後になってしまい、せっかく歌唱するチャンスが与えられたにも拘わらず、そのチャンスを逃すことになる。
【０００５】
そこで、利用者が歌唱を望まない楽曲を選曲予約してしまった場合に、他の代替楽曲を演奏するようにした技術が開示されている（特許文献１参照）。この特許文献１に記載された技術は、利用者が指定した楽曲を待ち行列に登録して順番に演奏するカラオケ装置において、任意の利用者により指定された予約楽曲が予約待ち行列に従って演奏されている期間に演奏中止が指示されると、当該利用者により別途に指定されているピンチ楽曲の演奏に切り換えるとともに、ピンチ楽曲の演奏を終了したならば予約待ち行列による演奏順番管理に戻るようにしたものである。
【先行技術文献】
【特許文献】
【０００６】
【特許文献１】特開２００３−２８８０８６号公報
【発明の概要】
【発明が解決しようとする課題】
【０００７】
上述した従来の技術は、利用者が選曲予約した楽曲の歌唱を望まない場合に、代替の楽曲を演奏するため、利用者が歌唱チャンスを逃さないという優れた効果がある。しかし、利用者が歌唱チャンスを逃さないといっても、基本的に、予めピンチ楽曲を指定しておかなければ、楽曲の代替演奏が行われない。また、予約楽曲の属性情報、演奏履歴、予約楽曲選出履歴等に基づいてピンチ楽曲を指定する構成とした場合には、必ずしも歌唱者が所望する楽曲がピンチ楽曲として指定されるとは限らず、ピンチ楽曲についても歌唱を望まない場合があり、さらなる改良の余地があった。
【０００８】
本発明は、上述した事情に鑑み提案されたもので、利用者が選曲予約した楽曲の演奏が開始された後に当該楽曲の演奏が中止された場合に、当該利用者の歌唱チャンスを有効に生かすことが可能な演奏楽曲繰上機能を有するカラオケシステムを提供することを目的とする。
【課題を解決するための手段】
【０００９】
本発明の演奏楽曲繰上機能を有するカラオケシステムは、上述した目的を達成するため、以下の特徴点を有している。すなわち、本発明の演奏楽曲繰上機能を有するカラオケシステムは、選曲予約されたカラオケ楽曲を選曲予約順に演奏するカラオケシステムにおいて、ログイン利用者管理手段と、予約管理手段と、予約待ち行列再編手段と、を備えたことを特徴とするものである。
【００１０】
ログイン利用者管理手段は、現に当該カラオケシステムにログインしている利用者を、利用者ＩＤに基づき特定して管理するための手段である。予約管理手段は、任意の利用者が選曲予約を行う際に、選曲された楽曲の楽曲ＩＤに当該利用者の利用者ＩＤを付帯させて予約待ち行列に登録するための手段である。予約待ち行列再編手段は、任意の予約楽曲が演奏された際に演奏中止信号を受信すると、予約待ち行列を参照し、当該演奏が中止された楽曲ＩＤに付帯された利用者ＩＤに対応する他の予約楽曲の中から、所定の予約楽曲が選曲予約順の最上位となるように予約待ち行列を再編するための手段である。
【００１１】
このような構成からなる演奏楽曲繰上機能を有するカラオケシステムでは、利用者がカラオケシステムにログインすると、ログイン利用者管理手段の機能により、当該利用者が利用者ＩＤに基づいて特定されて管理される。また、カラオケリモコン装置等の選曲装置を用いて、任意の利用者が選曲予約を行うと、予約管理手段の機能により、予約選曲された楽曲の楽曲ＩＤに選曲者の利用者ＩＤを付帯させて予約待ち行列に登録する。そして、予約待ち行列に登録された順番に従って予約楽曲の演奏が行われる。予約楽曲の演奏が行われた際に、利用者が演奏中止ボタンを操作する等して演奏中止信号が受信されると、予約待ち行列再編手段の機能により、予約待ち行列を参照し、演奏が中止された楽曲の選曲者と同一の選曲者が選曲予約した他の予約楽曲の中から、所定のアルゴリズムに従って所定の予約楽曲を選択し、当該選択された予約楽曲が選曲予約順の最上位となるように予約待ち行列の再編が行われる。
【００１２】
また、予約待ち行列再編手段は、予約楽曲の演奏が開始されてから所定時間内に演奏中止信号を受信した場合にのみ、予約待ち行列の再編を行うように構成することが可能である。
このような構成からなる演奏楽曲繰上機能を有するカラオケシステムでは、利用者が演奏中止を指示した場合に、その中止指示タイミングが演奏開始から所定時間内である場合に限って、予約待ち行列の再編が行われる。例えば、前奏の演奏中、演奏開始から１フレーズ以内のように、演奏開始初期にのみ楽曲の繰上演奏が許可される。
【発明の効果】
【００１３】
本発明の演奏楽曲繰上機能を有するカラオケシステムによれば、利用者が選曲予約した楽曲の演奏が開始された後に当該楽曲の演奏が中止された場合に、当該利用者が選曲予約している他の楽曲が選曲予約順の最上位となるように予約待ち行列の再編が行われる。したがって、利用者が選曲予約した楽曲の演奏が中止された場合に、当該利用者は、選曲予約した次の楽曲の演奏順番が到来するまで待つことなく、自らが選曲予約した楽曲を直ちに歌唱することができるので、当該利用者の歌唱チャンスを有効に生かすことが可能となる。また、繰上楽曲は、演奏中止を指示した利用者が元々その場で歌唱を所望して選曲予約した楽曲であるため、利用者が所望しない楽曲が演奏されることはなく、カラオケシステムを利用した歌唱の楽しさを損なうことがない。
【００１４】
また、予約楽曲演奏開始から所定時間内に演奏中止信号を受信した場合にのみ、予約待ち行列の再編を行う構成とした場合には、利用者が演奏終了間際に演奏中止を指示して、さらに他の楽曲を続けて歌唱するという行為を排除することができるので、利用者間の公平を図ることが可能となる。
【図面の簡単な説明】
【００１５】
【図１】本発明の実施形態に係る演奏楽曲繰上機能を有するカラオケシステムの構成を示すブロック図。
【図２】予約待ち行列の再編処理を示すフローチャート。
【図３】第１の実施形態に係る予約待ち行列の再編方法を示す説明図。
【図４】第２の実施形態に係る予約待ち行列の再編方法を示す説明図。
【図５】予約待ち行列における楽曲の繰り上げを示す説明図。
【発明を実施するための形態】
【００１６】
以下、本発明の実施形態に係る演奏楽曲繰上機能を有するカラオケシステム（以下、カラオケシステムという）について説明する。図１は、本発明の実施形態に係るカラオケシステムの構成を示すブロック図である。
【００１７】
＜カラオケシステム＞
本発明の実施形態に係るカラオケシステム１１は、図１に示すように、カラオケ本体２１、カラオケリモコン装置２２、マイクロホン２３、スピーカ２４、ミキシングアンプ２５、表示装置２６を備えている。
【００１８】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、利用者ＩＤ取得手段２２ｃとして機能する電子回路及びプログラム、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００１９】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２０】
＜利用者ＩＤ取得手段＞
利用者ＩＤ取得手段２２ｃは、任意の利用者が当該カラオケシステムにログインする際に、当該利用者の利用者ＩＤを取得するための電子回路及びプログラムからなる。本実施形態では、利用者がカラオケシステム１１を利用する際に、利用者が所持するＩＤ媒体３１から利用者ＩＤを取得するようになっている。利用者ＩＤ取得手段２２ｃで取得した利用者ＩＤは、ＲＡＭ４３に一時的に記憶され、ログイン利用者管理手段４７で管理される。ＩＤ媒体３１は、例えば、非接触型のＩＤカード、携帯電話、携帯情報端末等からなり、利用者ＩＤを記憶して、利用者ＩＤ取得手段２２ｃとの間でデータの送受信を行うことができるようになっている。
【００２１】
＜カラオケ本体＞
カラオケ本体２１は、中央制御手段４１、ＲＯＭ４２、ＲＡＭ４３、ＨＤＤ４４、送受信手段４５、予約管理手段４６、ログイン利用者管理手段４７、予約待ち行列再編手段４８、音楽再生制御手段４９、映像再生制御手段５０を備えている。
【００２２】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２３】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａ、ログイン利用者ＩＤ４３ｂが記憶されるようになっている。後に詳述するが、予約待ち行列４３ａは、予約管理手段４６により管理され、ログイン利用者ＩＤ４３ｂは、利用者ＩＤ取得手段２２ｃにより取得されてログイン利用者管理手段４７により管理される。
【００２４】
＜ＨＤＤ＞
ＨＤＤ４４は、大容量記憶装置として機能するもので、楽曲データベース４４ａ及び映像データベース４４ｂが格納されている。なお、ＨＤＤ４４に替えて、あるいはＨＤＤ４４とともに、データを書き替え可能なＤＶＤ等の大容量記憶装置を用いてもよい。
【００２５】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４４ｂは、演奏されるカラオケ楽曲に対応した背景映像を、当該カラオケ楽曲の楽曲ＩＤに対応させた映像ファイルとして所定数格納したデータベースである。
【００２６】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００２７】
＜予約管理手段＞
予約管理手段４６は、利用者により楽曲検索手段２２ａの機能を用いて選曲され、送受信手段４５を介して受信した当該選曲者の利用者情報（利用者ＩＤ）及び選曲された楽曲ＩＤを対応付けて予約待ち行列４３ａとしてＲＡＭ４３に格納し、管理するためのプログラムからなる。なお、楽曲選択の表示や予約待ち行列４３ａの表示は、カラオケリモコン装置２２の入出力表示部（図示せず）及び表示装置２６のいずれか一方、あるいは双方で行うことができる。
【００２８】
＜ログイン利用者管理手段＞
ログイン利用者管理手段４７は、現に当該カラオケシステム１１にログインしている利用者を、利用者ＩＤに基づき特定して管理するためのプログラムからなる。すなわち、ログイン利用者管理手段４７では、利用者ＩＤ取得手段２２ｃにより利用者ＩＤが取得された場合に、この利用者ＩＤに基づいてカラオケシステム１１にログインしている利用者を特定して管理する。取得した利用者ＩＤは、選曲予約を行う際に利用される。
【００２９】
＜予約待ち行列再編手段＞
予約待ち行列再編手段４８は、任意の予約楽曲が演奏された際に演奏中止信号を受信すると、予約待ち行列４３ａを参照し、当該演奏が中止された楽曲ＩＤに付帯された利用者ＩＤに対応する他の予約楽曲の中から、所定の予約楽曲が選曲予約順の最上位となるように予約待ち行列４３ａを再編するためのプログラムからなる。
【００３０】
また、予約待ち行列再編手段４８では、予約楽曲の演奏が開始されてから所定時間内に演奏中止信号を受信した場合にのみ、予約待ち行列４３ａの再編を行うことが好ましい。すなわち、予約待ち行列４３ａの再編処理を無制限に許可したのでは、利用者が演奏終了間際に演奏中止を指示して、さらに他の楽曲を続けて歌唱することができてしまう。これでは、多数の利用者がカラオケシステム１１を利用している場合に、予約待ち行列４３ａに登録された順番に拘わらず、同一の利用者が続けて歌唱を行うことになり、利用者間の公平を図ることができない。これに対して、予約楽曲の演奏が開始されてから所定時間内に演奏中止信号を受信した場合にのみ、予約待ち行列４３ａの再編を行うような構成とした場合には、前奏の演奏中、演奏開始から１フレーズ以内等のように、演奏開始初期に演奏中止信号を受信した場合にのみ、繰上楽曲の演奏が許可されるので、利用者が意図的に演奏の中止を指示することにより、予約待ち行列４３ａに登録された順番を無視して歌唱を行うという行為を防止することができる。
【００３１】
予約待ち行列４３ａの再編に際して、どのような基準で繰上楽曲となる他の予約楽曲を選択するかについて説明する。例えば、演奏が中止された楽曲ＩＤに付帯された利用者ＩＤに対応する他の予約楽曲が１曲のみの場合には、その予約楽曲が繰上楽曲となる。また、演奏が中止された楽曲ＩＤに付帯された利用者ＩＤに対応する他の予約楽曲が複数曲存在する場合には、複数の予約楽曲の中で最上位の楽曲を繰上楽曲としてもよいし、最下位の楽曲を繰上楽曲としてもよいし、ランダムに繰上楽曲を選択してもよい。
【００３２】
図５を参照して、繰上楽曲の選択について説明する。図５は、予約待ち行列における楽曲の繰り上げを示す説明図である。例えば、図５に示すように、演奏中の楽曲（楽曲ＩＤ「＊＊＊＊＊ｃ」）の演奏が中止されたとする。この場合、当該楽曲の選曲者の利用者ＩＤ「＊＊＊＊Ｘ」に対応する予約楽曲は、順位３の楽曲（楽曲ＩＤ「＊＊＊＊＊ｄ」）と、順位５の楽曲（楽曲ＩＤ「＊＊＊＊＊ｆ」）と、順位８の楽曲（楽曲ＩＤ「＊＊＊＊＊ｋ」）と、順位９の楽曲（楽曲ＩＤ「＊＊＊＊＊ｍ」）である。
【００３３】
そして、ランダムに繰上楽曲を選択する構成では、順位３の楽曲（楽曲ＩＤ「＊＊＊＊＊ｄ」）、順位５の楽曲（楽曲ＩＤ「＊＊＊＊＊ｆ」）、順位８の楽曲（楽曲ＩＤ「＊＊＊＊＊ｋ」）、順位９の楽曲（楽曲ＩＤ「＊＊＊＊＊ｍ」）のいずれかが、繰上楽曲として選択される。図５に示す例では、順位５の楽曲（楽曲ＩＤ「＊＊＊＊＊ｆ」）が繰上楽曲として選択されている。また、最上位の楽曲を繰上楽曲として選択する場合には、順位３の楽曲（楽曲ＩＤ「＊＊＊＊＊ｄ」）が繰上楽曲となり、最下位の楽曲を繰上楽曲として選択する場合には、順位９の楽曲（楽曲ＩＤ「＊＊＊＊＊ｍ」）が繰上楽曲となる。
【００３４】
また、予約待ち行列４３ａの再編は、当該利用者の予約楽曲のみについて順位の入れ替えを行ってもよいし、他の利用者も含めたすべての予約楽曲について順位の入れ替えを行ってもよい。なお、演奏が中止された楽曲ＩＤに付帯された利用者ＩＤに対応する他の予約楽曲が存在しない場合には、予約待ち行列４３ａの再編は行われない。予約待ち行列４３ａの再編については、後に詳述する。
【００３５】
＜音楽再生制御手段＞
音楽再生制御手段４９は、楽曲ＩＤに基づいて楽曲データベース４４ａから抽出された演奏データをデジタル再生するとともにアナログ変換してミキシングアンプ２５に出力するための電子回路である。ミキシングアンプ２５は、マイクロホン２３から入力された歌唱者の歌唱音声信号と、音楽再生制御手段４９から送出される演奏音声信号とをミキシングするとともに、アンプ機能により増幅してスピーカ２４より出力させるための装置である。
【００３６】
＜映像再生制御手段＞
映像再生制御手段５０は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２６に出力するための電子回路である。この際、カラオケ楽曲の演奏進行に従って、歌詞文字が色変わりして表示される。
【００３７】
＜表示装置＞
表示装置２６は、カラオケ演奏時の映像、歌詞テロップ等を表示するための装置で、例えば、ＣＲＴディスプレイ、液晶ディスプレイ、プラズマディスプレイ等により構成される。
【００３８】
＜予約待ち行列の再編処理＞
図２は、予約待ち行列の再編処理を示すフローチャートである。
予約待ち行列の再編処理では、予約楽曲の演奏が開始されたか否かを判断し（Ｓ１）、演奏が開始されたならば、当該予約楽曲の演奏が終了したか否かを判断する（Ｓ２）。ここで、予約楽曲の演奏が開始されていない場合、及び予約楽曲の演奏が終了した場合には、処理を終了する。
【００３９】
一方、予約楽曲の演奏が開始され、かつ当該予約楽曲の演奏が終了していない場合には、演奏中止信号を受信したか否かを判断する（Ｓ３）。ここで、演奏中止信号を受信した場合には、演奏開始から所定時間経過したか否かを判断する（Ｓ４）なお、演奏中止信号の受信判断処理は、当該予約楽曲の演奏が終了するまで行われる。そして、演奏開始から所定時間経過していない場合には、当該利用者ＩＤに対応する予約楽曲が存在するか否かを判断する（Ｓ５）。ここで、当該利用者ＩＤに対応する予約楽曲が存在する場合には、予約待ち行列を再編する（Ｓ６）。一方、演奏開始から所定時間経過している場合、及び当該利用者ＩＤに対応する予約楽曲が存在しない場合には、予約待ち行列の再編は行われない。
【００４０】
図２に示す例では、演奏開始から所定時間経過している場合には、予約待ち行列の再編を行わずに、処理を終了するようにしているが、上述したように、演奏開始からの経過時間を判断せずに、予約待ち行列の再編を行うようにしてもよい。
【００４１】
＜第１の実施形態＞
次に予約待ち行列の再編方法を説明する。図３は、第１の実施形態に係る予約待ち行列の再編方法を示す説明図である。
第１の実施形態では、図３に示すように、現在演奏中の楽曲の演奏が中止されると、演奏が中止された楽曲の選曲者の予約楽曲のみについて順位の入れ替えを行う。例えば、演奏中の楽曲（楽曲ＩＤ「＊＊＊＊＊ａ」）の演奏が中止されたとする。この場合、当該楽曲の選曲者の利用者ＩＤ「＊＊＊＊Ａ」に対応する予約楽曲は、順位３の楽曲（楽曲ＩＤ「＊＊＊＊＊ｇ」）と、順位５の楽曲（楽曲ＩＤ「＊＊＊＊＊ｔ」）である。そこで、順位３の楽曲（楽曲ＩＤ「＊＊＊＊＊ｇ」）を順位０に移動させ、順位５の楽曲（楽曲ＩＤ「＊＊＊＊＊ｔ」）を順位３に移動させる。
【００４２】
このように、第１の実施形態では、演奏が中止された楽曲の選曲者について、その予約楽曲の順位の入れ替えを行い、他の利用者の予約楽曲については順位の入れ替えが行われない。
【００４３】
＜予約待ち行列の再編処理／第２の実施形態＞
図４は、第２の実施形態に係る予約待ち行列の再編方法を示す説明図である。
第２の実施形態では、現在演奏中の楽曲の演奏が中止されると、他の利用者も含めたすべての予約楽曲について順位の入れ替えを行う。例えば、演奏中の楽曲（楽曲ＩＤ「＊＊＊＊＊ａ」）の演奏が中止されたとする。この場合、当該楽曲の選曲者の利用者ＩＤ「＊＊＊＊Ａ」に対応する予約楽曲は、順位３の楽曲（楽曲ＩＤ「＊＊＊＊＊ｇ」）と、順位５の楽曲（楽曲ＩＤ「＊＊＊＊＊ｔ」）である。また、順位１は楽曲ＩＤ「＊＊＊＊＊ｈ」の楽曲、順位２は楽曲ＩＤ「＊＊＊＊＊ｆ」の楽曲、順位４は楽曲ＩＤ「＊＊＊＊＊ｂ」の楽曲である。そこで、まず利用者ＩＤ「＊＊＊＊Ａ」に対応する順位３の楽曲（楽曲ＩＤ「＊＊＊＊＊ｇ」）を順位０に移動させる。そして、他の利用者を含めて楽曲の順位を入れ替えるため、順位４の楽曲（楽曲ＩＤ「＊＊＊＊＊ｂ」）を順位３に移動させ、順位５の楽曲（楽曲ＩＤ「＊＊＊＊＊ｔ」）を順位４に移動させる。
【００４４】
このように、第３の実施形態では、演奏が中止された楽曲の選曲者だけではなく、他の利用者を含めて、予約楽曲の順位が入れ替えられる。
【００４５】
＜他の実施形態＞
本発明のカラオケシステム１１及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４６】
＜ネットワークカラオケシステム＞
また、上述した実施形態は、カラオケシステム１１をスタンドアロンで使用した例を示しているが、各カラオケ店舗等に設置されたカラオケシステム１１を端末装置とし、インターネット回線等を用いて、端末装置とホスト装置とをネットワーク接続した構成とすることもできる。この場合には、ホスト装置において、利用者ＩＤ等を集中管理することにより、ネットワーク接続された各カラオケシステム１１において同様のサービスを提供することができる。
【符号の説明】
【００４７】
１１  カラオケシステム
２１  カラオケ本体
２２  カラオケリモコン装置
２２ａ  楽曲検索手段
２２ｂ  楽曲索引データベース
２２ｃ  利用者ＩＤ取得手段
２３  マイクロホン
２４  スピーカ
２５  ミキシングアンプ
２６  表示装置
３１  ＩＤ媒体
４１  中央制御手段
４２  ＲＯＭ
４３  ＲＡＭ
４３ａ  予約待ち行列
４３ｂ  ログイン利用者ＩＤ
４４  ＨＤＤ
４４ａ  楽曲データベース
４４ｂ  映像データベース
４５  送受信手段
４６  予約管理手段
４７  ログイン利用者管理手段
４８  予約待ち行列再編手段
４９  音楽再生制御手段
５０  映像再生制御手段
【図１】
0005415866.tif 000002
【図２】
0005415866.tif 000003
【図３】
0005415866.tif 000004
【図４】
0005415866.tif 000005
【図５】
0005415866.tif 000006